(57)【特許請求の範囲】
【請求項１】
停電時にバッテリからの電源供給に切り替える防災監視制御盤の電源装置に於いて、
複数の電源供給系統毎に設けられた電源供給回路と、
前記複数の電源供給回路の出力側に設けられ、各電源供給回路による電源供給と前記バッテリによる電源供給を切り替える複数の電源切替リレーと、
前記複数の電源供給回路毎に設けられ、電源電圧が所定の設定電圧に対し高い場合と低い場合に応じた電圧検出信号を出力する複数の電圧検出回路と、
前記複数の電圧検出回路による検出信号の全てが所定の設定電圧に対し高い場合に前記複数の電源切替リレーを一括して作動することにより前記各電源供給回路からの電源供給に切り替え、前記検出信号のいずれかが所定の設定電圧に対し低い場合に前記複数の電源切替リレーを一括して復旧することにより前記バッテリからの電源供給に切り替える切替制御回路と、
を備え、前記切替制御回路は、
前記複数の電圧検出回路による電源電圧が所定の設定電圧に対し高い場合の電圧検出信号でオンし、低い場合の電圧検出信号でオフする複数の電圧検出スイッチ回路を直列接続した直列スイッチ回路と、
前記複数の電源切替リレーを並列接続したリレー駆動回路と、
前記リレー駆動回路に並列接続され電源切替状態を示す電源状態信号をＣＰＵに送出するフォトカプラの発光素子と、
前記ＣＰＵからのバッテリ試験指示でオン，オフする試験スイッチ回路と、
を備え、前記直列スイッチ回路、リレー駆動回路及び試験スイッチ回路を直列接続し、複数のスイッチ回路の少なくともいずれか１つのオフで前記複数の電源切替リレーを一括して復旧することを特徴とする防災監視制御盤の電源回路。
【請求項２】
請求項１記載の防災監視制御盤の電源装置に於いて、前記複数の電圧検出回路はコンパレータを備え、該コンパレータは、電源電圧が第１閾値電圧を越えた時にスイッチオン用の前記電圧検出信号を出力し、その後、電源電圧が前記第１閾値電圧より低い第２閾値電圧を下回った時にスイッチオフ用の電圧検出信号を出力するヒステリシス検出特性を備えたことを特徴とする防災監視制御盤の電源装置。
【請求項３】
請求項１記載の防災監視制御盤の電源装置に於いて、複数の電圧検出回路の検出信号に現われる電源電圧の瞬断等による変動を抑圧して前記切替制御回路の誤動作を防止する積分回路を設けたことを特徴とする防災監視制御盤の電源装置。
【発明の詳細な説明】
【０００１】
【発明の属する技術分野】
本発明は、停電時にバッテリからの電源供給に切り替えて火災等の異常を監視する防災監視制御盤の電源装置に関する。
【０００２】
【従来の技術】
従来、この種の防災監視制御盤にあっては、電源供給系統を複数系統に分け、各系統毎にスイッチングレギュレータ等を使用した電源供給回路を設けて電源を供給している。
【０００３】
図４は従来の電源装置の一例であり、内部と外部の２系統に分けて負荷に対し電源供給を行う場合であり、各系統に電源供給回路（パワーサプライ：ＰＳ）１００ａ，１００ｂが設けられ、商用交流電源１０２の交流入力を、例えば２４ボルトといった直流電圧に変換して各系統に供給している。
【０００４】
また停電時のバックアップのためバッテリ１０３が設けられ、停電検出でバッテリ１０３に切り替えて電源供給ができるようにしている。このためリレーＮＶ１，ＮＶ２の切替リレー接点ｎｖ１，ｎｖ２のａ側をバッテリ１０３に接続し、ｂ側を電源供給回路１００ａ，１００ｂの出力に接続している。
【０００５】
バッテリ１０３は、商用電源１０２の交流電圧をトランス１０８で降圧し、充電回路１０９の整流出力で、常時充電されている。
【０００６】
リレーＮＶ１，ＮＶ２は、電圧検出回路１０４ａ，１０４ｂと電圧検出スイッチ回路１０５ａ，１０５ｂにより制御される。商用交流電源１０１に停電が起きると電源供給回路１００ａ，１００ｂからの電源電圧が低下し、電圧検出回路１０４ａ，１０４ｂは所定の設定電圧を下回った時に、これを検出して電圧検出スイッチ回路１０５ａ，１０５ｂをオフし、リレーＮＶ１，ＮＶ２を復旧する。このため切替リレー接点ｎｖ１，ｎｖ２が図示のａ側に切り替わり、バッテリ１０３から電源を供給するようになる。
【０００７】
またＣＰＵからの指示でバッテリ試験を行うため、各系統毎にバッテリ試験切替回路１０６ａ，１０６ｂと試験スイッチ回路１０７ａ，１０７ｂが設けられる。ＣＰＵからバッテリ試験回路１０６ａ，１０６ｂに試験指示が行われると、各々試験スイッチ回路１０７ａ，１０７ｂをオフし、リレーＮＶ１，ＮＶ２を復旧し、切替リレー接点ｎｖ１，ｎｖ２をａ側に切り替え、バッテリ１０３から電源を負荷に対して供給し、バッテリによる電源供給が規定時間の間、正常にできるか否かのバッテリ試験を行う。
【０００８】
【発明が解決しようとする課題】
しかしながら、このような従来の電源装置にあっては、複数の電源供給回路から各系統に分けて電源を供給するため、リレーＮＶ１，ＮＶ２を各々の系統ごとに設け、他の系統に干渉されず単独でリレーＮＶ１，ＮＶ２によるバッテリへの切替えを行っており、電源供給回路１００ａ，１００ｂ毎にバッテリ試験切替回路１０６ａ，１０６ｂや、電圧検出回路１０４ａ，１０４ｂからＣＰＵに電源切替状態を出力するための信号回路等を設けなくてはならない。
【０００９】
そのため、防災監視制御盤で系統を容易に増やすことができず、電源装置で決められた系統数しか制御及び監視ができないという問題があった。
【００１０】
本発明は、このような従来の問題点に鑑みてなされたもので、電源供給系統を比較的容易に増やすことのできる防災監視制御盤の電源装置を提供することを目的とする。
【００１１】
【課題を解決するための手段】
この目的を達成するため本発明は次のように構成する。本発明は、停電時にバッテリからの電源供給に切り替える防災監視制御盤の電源装置であって、複数の電源供給系統毎に設けられる電源供給回路と、複数の電源供給回路の出力側に設けられ、各電源供給回路による電源供給とバッテリによる電源供給を切り替える複数の電源切替リレーと、複数の電源供給回路毎に設けられ、電源電圧が所定の設定電圧に対し高い場合と低い場合に応じた電圧検出信号を出力する複数の電圧検出回路と、複数の電圧検出回路による検出信号の全てが所定の設定電圧に対し高い場合に複数の電源切替リレーを一括して作動することにより各電源供給回路からの電源供給に切り替え、検出信号のいずれかが所定の設定電圧に対し低い場合に複数の電源切替リレーを一括して復旧することによりバッテリからの電源供給に切り替える切替制御回路とを設けたことを特徴とする。
【００１２】
ここで切替制御回路は、複数の電圧検出回路による電源電圧が所定の設定電圧に対し高い場合の電圧検出信号でオンし、低い場合の電圧検出信号でオフする複数の電圧検出スイッチ回路を直列接続した直列スイッチ回路と、複数の電源切替リレーを並列接続したリレー駆動回路と、リレー駆動回路に並列接続され電源切替状態を示す電源状態信号をＣＰＵに送出するフォトカプラの発光素子と、ＣＰＵからのバッテリ試験指示でオン，オフする試験スイッチ回路とを備え、直列スイッチ回路、リレー駆動回路及び試験スイッチ回路を直列接続し、複数のスイッチ回路の少なくともいずれか１つのオフで、複数の電源切替リレーを一括して復旧することを特徴とする。
【００１３】
また複数の電圧検出回路はコンパレータを備え、コンパレータは、電源電圧が第１閾値電圧を越えた時にスイッチオン用の電圧検出信号を出力し、その後、電源電圧が第１閾値電圧より低い第２閾値電圧を下回った時にスイッチオフ用の電圧検出信号を出力するヒステリシス検出特性を持つ。
【００１４】
更に、複数の電圧検出回路の検出信号に現われる電源電圧の瞬断等による変動を抑圧して切替制御回路の誤動作を防止する積分回路を設ける。
【００１５】
このような本発明の電源装置によれば、複数の電源系統に対しＣＰＵに電源切替状態を示す状態信号を送る回路、ＣＰＵからの指示でバッテリ試験等のために電源切替リレーを切り替えるバッテリ試験切替回路が単一の回路で共通化され、電源系統を増やす場合には、電源供給回路、電圧検出回路、電圧検出スイッチ回路、電源切替リレーの増設で済み、電源系統が増えても回路を大幅に変更することなく、容易に対応できる。
【００１６】
【発明の実施の形態】
図１は、本発明による防災監視制御盤の電源装置の１実施形態の回路ブロック図である。
【００１７】
この実施形態にあっては、防災監視制御盤における電源系統として内部、外部１、外部２の３系統を設けている。３つの電源系統に対応して、商用交流電源２を入力接続した３つの電源供給装置１ａ，１ｂ，１ｃが設けられる。電源供給装置１ａ〜１ｃは、商用交流電源２からの交流電源電圧を入力し、所定の直流電源電圧に変換して出力する例えばスイッチングレギュレータ等を使用している。
【００１８】
ここで電源供給装置ＰＳ１は防災監視制御盤の内部電源を供給しており、例えばＤＣ２４Ｖを供給する。また電源供給装置ＰＳ２は外部１として火報用に種別が設定された制御回線に接続された地区音響装置に対する電源を供給しており、この場合の外部１、即ち火報用としての供給電源電圧は例えばＤＣ２６．４Ｖとなる。
【００１９】
更に電源供給装置ＰＳ３は外部２として、防排煙用に種別が設定された制御回線の防排煙機器に対する電源供給を行っており、例えばＤＣ２６．４Ｖを供給している。
【００２０】
これら３つの電源系統に対しては、商用交流電源２の停電時に電源供給をバックアップするため、バッテリ３が設けられる。バッテリ３に対しては商用交流電源２からの交流電源電圧をトランス８で所定の電圧に下げ、充電回路９で整流することで、常時バッテリ３を充電している。
【００２１】
商用交流電源２の停電時に電源供給回路１ａ，１ｂ，１ｃの電源供給からバッテリ３の電源供給に切り替えるため、各電源系統ごとに電源切替リレーＮＶ１，ＮＶ２，ＮＶ３を設けている。これら電源切替リレーＮＶ１，ＮＶ２，ＮＶ３は切替リレー接点ｎｖ１，ｎｖ２，ｎｖ３を備え、そのａ側をバッテリ３に接続し、ｂ側を電源供給回路１ａ〜１ｃからの出力に接続し、切替接点側を内部、外部１，外部２側の負荷側に接続している。
【００２２】
電源切替リレーＮＶ１，ＮＶ２，ＮＶ３は並列接続されており、商用交流電源２が正常に得られている場合は電源切替リレーＮＶ１〜ＮＶ３は作動状態にあり、その切替リレー接点ｎｖ１〜ｎｖ３をｂ側に切り替え、電源供給回路１ａ〜１ｃからの直流電源を内部、外部１、外部２の各系統に供給している。
【００２３】
商用交流電源２が停電となった場合には、電源切替リレーＮＶ１〜ＮＶ３は復旧し、そのリレー接点ｎｖ１〜ｎｖ３をａ側に切り替え、バッテリ３からの電源供給を行う。
【００２４】
このようなＮＶ１〜ＮＶ３による電源切替えのための切替制御回路として、電源供給回路１ａ，１ｂ，１ｃの出力電圧を検出する電圧検出回路４ａ，４ｂ，４ｃと、その電圧検出信号によりオン，オフ制御される電圧検出スイッチ回路５ａ，５ｂ，５ｃを設けている。
【００２５】
電圧検出回路４ａ〜４ｃは、電源供給回路１ａ〜１ｃからの出力電圧を入力して、内蔵したコンパレータで比較しており、電源電圧が所定の設定電圧より高い場合はそれぞれの電圧検出スイッチ回路５ａ〜５ｃをオンしているが、電源電圧が設定電圧より低くなると対応する電圧検出スイッチ回路５ａ〜５ｃをオフとする。
【００２６】
ここで、電圧検出回路４ａ〜４ｃに使用されているコンパレータはヒステリシス特性を持っている。図２は電圧検出回路４ａ〜４ｃに設けられるコンパレータのヒステリシス特性である。
【００２７】
図２において、横軸の電源電圧となる入力に対し、コンパレータはＬレベル出力またはＨレベル出力を生ずる。コンパレータはヒステリシス特性をもつ。即ち、コンパレータは入力の電源電圧に対し２つの閾値電圧Ｖｔｈ１，Ｖｔｈ２を持つ。
電源電圧が０Ｖから上昇する場合、高い方の閾値電圧Ｖｔｈ２に達すると、コンパレータの出力はそれまでのＬレベル出力からＨレベル出力に立ち上がる。
【００２８】
コンパレータの出力がＨレベルの状態で電源電圧が低下した場合、高い方の閾値電圧Ｖｔｈ２より低くなってもコンパレータの出力はＬレベルとならず、低い方の閾値電圧Ｖｔｈ１に下がるとＨレベルからＬレベルに立ち下がる。
【００２９】
ここで図１の電圧検出回路４ａのコンパレータにあっては、内部に対する電源供給回路１ａからの出力電圧はＤＣ２４Ｖであり、このためコンパレータにヒステリシス特性を持たせるための閾値電圧Ｖｔｈ１，Ｖｔｈ２は、例えばＶｔｈ１＝１６Ｖ、Ｖｔｈ２＝２３Ｖとなっている。
【００３０】
また外部１の火報用、外部２の防排煙用の電源供給を行う電源供給回路１ｂ，１ｃの出力電圧はＤＣ２６．４Ｖであることから、その電圧検出回路４ｂ，４ｃに設けたコンパレータのヒステリシス特性を得るための閾値電圧Ｖｔｈ１，Ｖｔｈ２は、例えばＶｔｈ１＝１９Ｖ、Ｖｔｈ２＝２５Ｖとしている。
【００３１】
電圧検出回路４ａ〜４ｃの電圧検出信号は電圧検出スイッチ回路５ａ，５ｂ，５ｃのそれぞれに入力されており、図２に示したコンパレータのＨレベル出力で切替スイッチ回路５ａ〜５ｃをオンし、Ｌレベル出力で電圧検出スイッチ回路５ａ〜５ｃをオフする。
【００３２】
このうち、外部１、外部２の電源電圧を検出している電圧検出回路４ｂ，４ｃからの電圧検出信号は、後の説明で明らかにする積分回路１１を通って電圧検出スイッチ回路５ｂ，５ｃに与えられている。
【００３３】
電圧検出回路４ａ〜４ｃの電圧検出信号に基づいてオン，オフされる電圧検出スイッチ回路５ａ，５ｃ，５ｃは直列接続され、これに電源切替リレーＮＶ１，ＮＶ２，ＮＶ３の並列回路を直列接続している。
【００３４】
直列接続した電圧検出スイッチ回路５ａ〜５ｃは、電圧検出回路４ａ〜４ｃで正常な電源電圧を検出した際のスイッチオンについてはアンド回路を構成する。即ち、全ての系統の電源電圧が正常であることが検出されたときに電圧検出スイッチ回路５ａ〜５ｃがオンし、これによって並列接続している電源切替リレーＮＶ１〜ＮＶ３を一括して作動し、各切替リレー接点ｎｖ１〜ｎｖ３をｂ側に切り替えて電源供給回路１ａ〜１ｃからの電源供給とする。
【００３５】
一方、電圧検出スイッチ回路５ａ〜５ｃを直列接続した回路は、停電等で電圧検出回路４ａ〜４ｃが電源電圧の低下または遮断を検出した際のスイッチオフについては、いずれか１つのスイッチがオフすると並列接続された電源切替リレーＮＶ１〜ＮＶ３が復旧することから、オア回路を構成する。
【００３６】
更に電源切替リレーＮＶ１〜ＮＶ３の並列回路に続いては、試験スイッチ回路７が直列接続され、試験スイッチ回路７はバッテリ切替試験回路６によりオン，オフされる。バッテリ切替試験回路６は、盤内部に設けているＣＰＵからのバッテリ試験指示を受けて、通常時オン状態にある試験スイッチ回路７をオフし、バッテリ試験のためにバッテリ３からの電源供給に切り替えるようにしている。
【００３７】
ここで電圧検出スイッチ回路５ａ〜５ｃ及び試験スイッチ回路７は、リレー，トランジスタ，サイリスタ等の適宜のスイッチ回路を使用することができる。
【００３８】
更に電源切替リレーＮＶ１〜ＮＶ３の並列回路に対しては、フォトカプラの発光素子１０が並列接続されている。このフォトカプラの発光素子１０は、各系統に対する電源供給が電源供給回路１ａ〜１ｃから行われているか、バッテリ３から行われているかの電源供給状態の状態信号をＣＰＵ側に送るために設けられている。
【００３９】
即ち、電源供給回路１ａ〜１ｃの全てから規定の電源電圧を供給している場合には、電圧検出スイッチ回路５ａ〜５ｃは全てオンし、また通常時にあっては試験スイッチ回路７もオンであることから、電源切替リレーＮＶ１〜ＮＶ３は一括して作動し、その切替リレー接点ｎｖ１〜ｎｖ３をｂ側に閉じ、電源供給回路１ａ〜１ｃからの電源供給となっている。
【００４０】
この時、フォトカプラの発光素子１０にも駆動電流が流れて発光し、図示しないＣＰＵ側に接続しているフォトカプラのフォトトランジスタに対する光の入射でフォトトランジスタをオンし、ＣＰＵに対し電源供給回路１ａ〜１ｃからの電源供給状態にあることを知らせる。
【００４１】
これに対し商用交流電源２の停電等で電圧検出スイッチ回路５ａ〜５ｃがオフすると、電源切替リレーＮＶ１〜ＮＶ３が一括して復旧し、その切替リレー接点ｎｖ１〜ｎｖ３を図示のようにａ側に閉じ、バッテリ３からの電源供給に切り替わる。このときフォトカプラの発光素子１０を流れる駆動電流も遮断されて発光を停止するため、ＣＰＵはフォトカプラのフォトトランジスタの出力がオフとなることでバッテリ３からの電源供給状態に切り替ったことを知ることができる。
【００４２】
ここで電圧検出回路４ｂ，４ｃの検出信号を入力している積分回路１１を説明する。火報用の電源供給を行う外部１の電源系統及び防排煙用の電源供給を行う外部２の電源系統にあっては、防災監視制御盤から外部に引き出された多数の制御回線に地区音響装置や防排煙機器を接続しており、各種の原因によって電源供給ラインの電圧に瞬断を起こす可能性が高い。
【００４３】
このような電源電圧の瞬断が起きると、電圧検出回路４ｂ，４ｃが誤動作し、電圧検出スイッチ回路５ｂ，５ｃを瞬間的にオフすることで電源切替リレーＮＶ１〜ＮＶ３が一括して復旧し、バッテリ３の電源供給に切り替わった後にまた通常の電源供給に戻る誤動作を起こす。
【００４４】
このような電源電圧の瞬断等の原因による電源切替えの誤動作を防止するため、電圧検出回路４ｂ，４ｃからの電圧検出信号を積分回路１１に入力し、瞬断による電源電圧の変動を抑え、電源切替えが誤作動しないようにしている。
【００４５】
図３は電源電圧が瞬断した場合の電圧検出回路と積分回路１１の動作波形である。図３（Ａ）のように電源電圧が瞬断して復旧した場合、図３（Ｂ）のように電源電圧が低い方の閾値電圧Ｖｔｈ１より下がることで電圧検出回路１ｂからの電圧検出信号は瞬間的にＬレベルとなり、再びＨレベルに立ち上がる。
【００４６】
この電圧検出信号は積分回路１１に入力され、積分動作により瞬間的な変動が抑圧されて僅かな変動となり、電圧検出スイッチ回路５ｂがオフとなることを防ぐ。
【００４７】
尚、内部に電源を供給する電源供給回路１ａの電圧検出回路４ａについては積分回路１１を通していないが、もし変動する可能性が高い場合には同様に積分回路１１を通して電圧検出スイッチ回路５ａに入力してもよい。
【００４８】
次に図１の実施形態の動作をその作用と共に説明する。防災監視制御盤の電源スイッチを投入すると、商用交流電源２から交流電源電圧が入力し、電源供給回路１ａ〜１ｃが動作し、所定の電源電圧を出力する。
【００４９】
この電源電圧は電圧検出回路４ａ〜４ｃで検出され、電源電圧がコンパレータの高い方の閾値電圧Ｖｔｈ２を超えると各電圧検出信号がＨレベルとなり、電圧検出スイッチ回路５ａ〜５ｃが全てオンするが、このとき試験スイッチ回路７はオン状態にあり、並列接続された電源切替リレーＮＶ１〜ＮＶ３が一括して作動し、その切替リレー接点ｎｖ１〜ｖｎ３をｂ側に閉じ、内部、外部１、外部２の各系統に所定の直流電源電圧を供給する。
【００５０】
またバッテリ３は商用交流電源２からの電源電圧をトランス８で降圧した後に充電回路９で整流した整流出力を受けて常時充電される。
【００５１】
次に電源供給回路１ａ〜１ｃによる通常の電源供給状態で、例えば商用交流電源２に停電が起きたとすると、停電によって電源供給回路１ａ〜１ｃの出力電圧が低下すると電圧検出回路４ａ〜４ｃからの電圧検出信号がＬレベルとなり、電圧検出スイッチ回路５ａ〜５ｃがオフする。
【００５２】
このため、並列接続している電源切替リレーＮＶ１〜ＮＶ３が一括して復旧し、切替リレー接点ｎｖ１〜ｎｖ３をａ側に切り替えることで、バッテリ３からの電源供給に切り替わる。
【００５３】
このようなバッテリ３への電源供給の切替えは、商用交流電源２の停電時のみならず、例えば電源供給回路１ａ〜１ｃのいずれかに故障が起き、電源電圧が遮断しコンパレータの低い方の閾値電圧Ｖｔｈ１以下に下がった場合、電源電圧に異常が起きた電圧検出回路４ａ〜４ｃの電圧検出信号がＬレベルとなり、電圧検出スイッチ回路５ａ〜５ｃのいずれかのオフにより、並列接続している電源切替リレーＮＶ１〜ＮＶ３を一括して復旧し、切替リレー接点ｎｖ１〜ｎｖ３をａ側にしてバッテリ３からの電源供給に切り替える。
【００５４】
一方、電圧検出スイッチ回路５ａ〜５ｃが全てオンして並列接続した電源切替リレーＮＶ１〜ＮＶ３が作動した電源供給回路１ａ〜１ｃからの通常の電源供給状態にあっては、フォトカプラの発光素子１０が発光駆動されており、フォトカプラのフォトトランジスタのオンによりＣＰＵは正常な電源供給状態にあることを認識している。
【００５５】
一方、停電時等において電源切替リレーＮＶ１〜ＮＶ３が復旧してバッテリ３からの電源供給に切り替わると、フォトカプラの発光素子１０の発光が停止し、ＣＰＵ側のフォトトランジスタがオフすることでＣＰＵはバッテリ３からの電源供給に切り替わったことを認識し、電源切替状態の表示や電源異常の警報出力等を行うことができる。
【００５６】
また防災監視制御盤のバッテリ３の試験を行いたい場合には、バッテリ試験スイッチ等の操作を行うと、ＣＰＵからバッテリ切替試験回路６に試験指示が行われ試験スイッチ回路７をオフし、並列接続している電源切替リレーＮＶ１〜ＮＶ３を一括してオフし、これによって各電源系統をバッテリ３からの電源供給に切り替え、例えばバッテリ３からの電源供給が規定時間、正常にできるか否かの試験を行う。
【００５７】
ここで電源系統の数と各回路部の関係を見ると、内部、外部１、外部２の３つの電源系統に対応して電源供給回路１ａ〜１ｃ、電圧検出回路４ａ〜４ｃ、電圧検出スイッチ回路５ａ〜５ｃ、電源切替リレーＮＶ１〜ＮＶ３は、各系統ごとに設けられているが、バッテリ切替試験回路６、試験スイッチ回路７及び電源切替状態をＣＰＵに通知するためのフォトカプラの発光素子１０は共通回路として設けられている。
【００５８】
このため、電源系統を更に増やす場合には、バッテリ切替試験回路６、試験スイッチ回路７及び電源切替状態をＣＰＵに通知するためのフォトカプラの発光素子１０はそのままで、電源供給回路、電圧検出回路、電圧検出スイッチ回路及び電源切替リレーを増設するだけでよく、電源系統の増設が図４の従来装置に比べ簡単且つ容易にできる。
【００５９】
尚、上記の実施形態は、内部、外部１、外部２の３系統の電源系統を例にとるものであったが、電源系統の数は必要に応じて適宜に定めることができる。またＣＰＵに電源切替状態を通知するためのフォトカプラの発光素子１０を電源切替リレーＮＶ１〜ＮＶ３と並列に接続しているが、電圧検出スイッチ回路５ａ〜５ｃと直列に接続してもよい。
【００６０】
また電源側とＣＰＵ側のアイソレートが必要ない場合には、電圧検出回路４ａ〜４ｃの電圧検出信号のダイオードオアをとり、このオア出力をＣＰＵに供給してもよい。更に本発明は上記の実施例に限定されず、その目的と利点を損なわない適宜の変形を含み、更に実施形態に示した数値による限定は受けない。
【００６１】
【発明の効果】
以上説明してきたように本発明によれば、防災監視制御盤の複数の電源系統に対し制御用のＣＰＵに電源切替状態を示す状態信号を送る回路、ＣＰＵからの指示でバッテリ試験のために電源切替リレーを切り替えるバッテリ切替試験回路が単一の回路で共通化でき、電源系統を増やしても電源供給回路、電圧検出回路、電圧検出スイッチ回路，電源切替リレーの増設で済み、大幅な回路変更を必要とすることなく容易に電源系統の増加に対し対応することができる。
【図面の簡単な説明】
【図１】本発明による防災監視制御盤の電源装置の実施形態を示した回路ブロック図
【図２】図１の電圧検出回路のヒステリシス特性の説明図
【図３】図１の積分回路による瞬断時の電圧変動特性の説明図
【図４】従来装置の回路ブロック図
【符号の説明】
１ａ〜１ｃ：電源供給回路（ＰＳ１〜ＰＳ３）
２：商用交流電源
３：バッテリ
４ａ〜４ｃ：電圧検出回路
５ａ〜５ｃ：電圧検出スイッチ回路
６：バッテリ切替試験回路
７：試験スイッチ回路
８：トランス
９：充電回路
１０：発光素子（ＣＰＵ送出用）
１１：積分回路
【図１】
0003559860.tif 000002
【図２】
0003559860.tif 000003
【図３】
0003559860.tif 000004
【図４】
0003559860.tif 000005